(57)【特許請求の範囲】
【請求項１】
車輪が搭載されると共に駆動されて車輪を転動し得る駆動面を有する駆動装置と、
帯状の光束を発生する発光素子及びこの光束を受光する受光素子を有し且つ駆動面の駆動方向にほぼ沿ってこれら素子を並べて配置すると共に帯状の光束が部分的に遮光された状態における遮光幅を計測し得るセンサと、
帯状の光束を部分的に遮光するように駆動面に設置されると共に駆動面の駆動に伴って移動される第１の遮光体と、
駆動面に搭載された車輪に帯状の光束を部分的に遮光するように取り付けられると共に駆動面の駆動に伴って回転される第２の遮光体と、
駆動面の駆動に伴って第１の遮光体により部分的に遮光される光束の遮光幅の変化から、センサの光軸と駆動面の駆動方向との間の相対角とされる第１の角度を演算すると共に、駆動面の駆動に伴って第２の遮光体により部分的に遮光される光束の遮光幅の変化から、センサの光軸と車輪の転動方向との間の相対角とされる第２の角度を演算し、これら第１の角度及び第２の角度の値から、駆動面の駆動方向と車輪の転動方向との間の滑り角を算出する演算手段と、
を備えた角度測定装置。
【請求項２】
駆動面が平面状に形成され、駆動されるのに伴って駆動面が直線的に移動されることを特徴とする請求項１に記載の角度測定装置。
【請求項３】
センサの光軸が車輪の中心軸を通るようにセンサが配置され、車輪が１８０度転動する毎に第２の遮光体が帯状の光束を部分的に遮光することを特徴とする請求項１に記載の角度測定装置。
【請求項４】
駆動装置の駆動面の駆動方向にほぼ沿って並べて配置されたセンサの発光素子及び受光素子の内の発光素子が帯状の光束を発光し、受光素子でこの光束を受光して、帯状の光束が部分的に遮光された状態における遮光幅を計測し角度を算出し得る角度測定装置を用いた角度測定方法であって、
まず、帯状の光束を部分的に遮光するように駆動面に第１の遮光体を設置した状態で、駆動面が駆動されるのに伴って第１の遮光体が移動されて、光束の遮光幅を変化させると共にセンサがこれを計測し、演算手段が遮光幅の変化からセンサの光軸と駆動面の駆動方向との間の相対角とされる第１の角度を演算し、
次に、第２の遮光体が取り付けられる車輪を帯状の光束を部分的に遮光するように駆動面に搭載した状態で、駆動面が駆動されるのに伴って第２の遮光体が回転されて、光束の遮光幅を変化させると共にセンサがこれを計測し、演算手段が遮光幅の変化からセンサの光軸と車輪の転動方向との間の相対角とされる第２の角度を演算し、
この後、これら第１の角度及び第２の角度の値から、演算手段が駆動面の駆動方向と車輪の転動方向との間の滑り角を算出する角度測定方法。
【発明の詳細な説明】
【０００１】
【発明の属する技術分野】
本発明は、駆動面に対する車輪の滑り角を測定する角度測定装置及び角度測定方法に関し、車輪の転動状態の測定等に好適なものである。
【０００２】
【従来の技術】
一般に、車輪には車両の走行安定性を確保するためにキャンバー角が付与され、このキャンバー角付与による片摩耗を防止するためにトー角が付与されている。この為、車両が走行する場合の走行安定性及びタイヤの耐片摩耗性を向上するには、各車輪に付与されている姿勢角であるトー角及びキャンバー角、さらには車輪と路面とが接した時にこれら姿勢角により発生する力を調整することが重要になる。
【０００３】
そして、姿勢角の調整の前後に、姿勢角及び力等の車輪の特性を試験する試験装置上において、試験装置を構成するドラム、ベルト或いは無限軌道等の駆動面に車輪を接しつつ転動させて、姿勢角或いは力を測定するが、この際、測定精度の高める為、駆動面に対する車輪の滑り角を測定する必要が生じる。
【０００４】
そして、この滑り角は、試験装置の匡体、ドラム軸あるいは、ベルトや無限軌道の案内機構を基準とした基準線を決め、車輪の支持機構からその基準線に対する車輪の軸の角度を求めて、決定されていた。
【０００５】
【発明が解決しようとする課題】
しかし、この方法によると、試験装置を構成する機構の組み立てに際して機構的に生じる誤差、駆動面を機械的に駆動するためのクリアランスによるずれから基準線との間に生じる誤差及び、車輪に付与する角度を変更するための車輪の支持機構内のクリアランスから生じる誤差を、滑り角の測定に際してそれぞれ有することになり、最終的に転動中の車輪の滑り角を正確に測定できない欠点があった。
【０００６】
一方、測定に際して、駆動面を支持するための試験装置の架台や軸受などの取付け位置や取付け角度を調整して基準線を補正する必要が生じるが、特に大型の試験装置では、この補正の際に多大な労力が必要となり、費用及び時間ともに非常に大きな負担となる。
【０００７】
本発明は上記の欠点を解消するためになされたもので、車輪の滑り角を簡易且つ正確に測定し得る角度測定装置及び角度測定方法を提供することを目的とする。
【０００８】
【課題を解決するための手段】
請求項１による角度測定装置は、車輪が搭載されると共に駆動されて車輪を転動し得る駆動面を有する駆動装置と、
帯状の光束を発生する発光素子及びこの光束を受光する受光素子を有し且つ駆動面の駆動方向にほぼ沿ってこれら素子を並べて配置すると共に帯状の光束が部分的に遮光された状態における遮光幅を計測し得るセンサと、
帯状の光束を部分的に遮光するように駆動面に設置されると共に駆動面の駆動に伴って移動される第１の遮光体と、
駆動面に搭載された車輪に帯状の光束を部分的に遮光するように取り付けられると共に駆動面の駆動に伴って回転される第２の遮光体と、
駆動面の駆動に伴って第１の遮光体により部分的に遮光される光束の遮光幅の変化から、センサの光軸と駆動面の駆動方向との間の相対角とされる第１の角度を演算すると共に、駆動面の駆動に伴って第２の遮光体により部分的に遮光される光束の遮光幅の変化から、センサの光軸と車輪の転動方向との間の相対角とされる第２の角度を演算し、これら第１の角度及び第２の角度の値から、駆動面の駆動方向と車輪の転動方向との間の滑り角を算出する演算手段と、
を備えた。
【０００９】
請求項２による角度測定装置は、請求項１の角度測定装置において、駆動面が平面状に形成され、駆動されるのに伴って駆動面が直線的に移動されることを特徴とする。
【００１０】
請求項３による角度測定装置は、請求項１の角度測定装置において、センサの光軸が車輪の中心軸を通るようにセンサが配置され、車輪が１８０度転動する毎に第２の遮光体が帯状の光束を部分的に遮光することを特徴とする。
【００１１】
請求項４による角度測定方法は、駆動装置の駆動面の駆動方向にほぼ沿って並べて配置されたセンサの発光素子及び受光素子の内の発光素子が帯状の光束を発光し、受光素子でこの光束を受光して、帯状の光束が部分的に遮光された状態における遮光幅を計測し角度を算出し得る角度測定装置を用いた角度測定方法であって、
まず、帯状の光束を部分的に遮光するように駆動面に第１の遮光体を設置した状態で、駆動面が駆動されるのに伴って第１の遮光体が移動されて、光束の遮光幅を変化させると共にセンサがこれを計測し、演算手段が遮光幅の変化からセンサの光軸と駆動面の駆動方向との間の相対角とされる第１の角度を演算し、
次に、第２の遮光体が取り付けられる車輪を帯状の光束を部分的に遮光するように駆動面に搭載した状態で、駆動面が駆動されるのに伴って第２の遮光体が回転されて、光束の遮光幅を変化させると共にセンサがこれを計測し、演算手段が遮光幅の変化からセンサの光軸と車輪の転動方向との間の相対角とされる第２の角度を演算し、
この後、これら第１の角度及び第２の角度の値から、演算手段が駆動面の駆動方向と車輪の転動方向との間の滑り角を算出する。
【００１２】
請求項１に係る角度測定装置の作用を以下に説明する。
車輪が搭載されると共に駆動されて車輪を転動し得る駆動面を駆動装置が有し、帯状の光束を発生する発光素子及びこの光束を受光する受光素子を有したセンサが、駆動面の駆動方向にほぼ沿ってこれら素子を並べた状態で配置され、帯状の光束が部分的に遮光された状態における遮光幅をこのセンサが計測し得る。
【００１３】
帯状の光束を部分的に遮光するように駆動面に設置される第１の遮光体が、駆動面の駆動に伴って移動され、また、駆動面に搭載された車輪に帯状の光束を部分的に遮光するように取り付けられる第２の遮光体が、駆動面の駆動に伴って回転される。
【００１４】
さらに、第１の遮光体が部分的に遮光する光束の遮光幅の変化を、駆動面の駆動に伴ってセンサが計測し、遮光幅の変化からセンサの光軸と駆動面の駆動方向との間の相対角とされる第１の角度を演算手段が演算する。また、第２の遮光体が部分的に遮光する光束の遮光幅の変化を、駆動面の駆動に伴ってセンサが計測し、遮光幅の変化からセンサの光軸と車輪の転動方向との間の相対角とされる第２の角度を演算手段が演算する。
【００１５】
これら第１の角度及び第２の角度の値から、演算手段が駆動面の駆動方向と車輪の転動方向との間の滑り角を算出する。
【００１６】
以上より、駆動面の駆動方向と車輪の転動方向との間の滑り角が、駆動装置や車輪の支持機構内のクリアランス等を含まないで、直接算出されることになる。また、駆動面を支持するための架台や軸受などの取付け位置や取付け角度を調整して基準線を補正する必要が無くなる為、大型の試験装置であっても、基準線の補正のための労力が不要となり、角度測定作業における費用及び時間ともに節約される。
【００１７】
この結果として、転動中の車輪の滑り角を簡易且つ正確に測定し得ることが可能となる。
【００１８】
請求項２に係る角度測定装置の作用を以下に説明する。
本請求項も請求項１と同様の構成を有しているので、請求項１と同様の作用を奏する。但し、本請求項では、駆動面が平面状に形成され、駆動されるのに伴って駆動面が直線的に移動されるので、駆動面に設置される第１の遮光体の一定の部分で、センサの帯状の光束を遮光するようになる。この為、滑り角の測定精度が一層向上し得ることになる。
【００１９】
請求項３に係る角度測定装置の作用を以下に説明する。
本請求項も請求項１と同様の構成を有しているので、請求項１と同様の作用を奏する。但し、本請求項では、センサの光軸が車輪の中心軸を通るようにセンサが配置され、車輪が１８０度転動する毎に第２の遮光体が帯状の光束を部分的に遮光する。この為、最も遮光幅の変化が大きくなると考えられる２点間で第２の遮光体が光束を遮光するようになって、第２の角度の計測精度が高まり、結果として、滑り角の測定精度が一層向上し得ることになる。
【００２０】
請求項４に係る角度測定方法の作用を以下に説明する。
本請求項の角度測定方法も請求項１の角度測定装置と同様の作用を奏する。
【００２１】
つまり、まず駆動面に第１の遮光体を設置してセンサの光軸と駆動面の駆動方向との間の相対角とされる第１の角度を求め、次に、第２の遮光体が取り付けられる車輪を駆動面に設置してセンサの光軸と車輪の転動方向との間の相対角とされる第２の角度を求め、最後に、これら第１の角度及び第２の角度の値から、演算手段が駆動面の駆動方向と車輪の転動方向との間の滑り角を算出するようにした。
【００２２】
従って、請求項１と同様に駆動面の駆動方向と車輪の転動方向との間の滑り角が、駆動装置や車輪の支持機構内のクリアランス等を含まないで、直接算出されることになる。また、駆動面を支持するための架台や軸受などの取付け位置や取付け角度を調整して基準線を補正する必要が無くなる為、大型の試験装置であっても、基準線の補正のための労力が不要となり、角度測定作業における費用及び時間ともに節約される。
【００２３】
この結果として、転動中の車輪の滑り角を簡易且つ正確に測定し得ることが可能となる。
【００２４】
【発明の実施の形態】
以下図面を参照して本発明に係る角度測定装置及び角度測定方法の第１の実施の形態を詳細に説明する。図１及び図２は、本実施の形態が適用される車両の車輪の試験装置１２の全体図を示すものである。
【００２５】
この試験装置１２は一対の載置台１４を備えており、これら載置台１４には、車両５０の各車輪５２を回転駆動させるための４つのタイヤ駆動装置１８が取り付けられていて、これらタイヤ駆動装置１８がそれぞれ駆動装置を構成することになる。この４つのタイヤ駆動装置１８には、前輪を転動させるための一対のタイヤ駆動装置１８と後輪を転動させるための一対のタイヤ駆動装置１８とが含まれている。
【００２６】
以下、図１及び図２に示した４つのタイヤ駆動装置１８は、各々同一構成であるため、１つのタイヤ駆動装置１８のみについて説明する。
【００２７】
図４に示すように、タイヤ駆動装置１８の外枠を形成するフレーム２０内には、それぞれスプロケット（図示せず）が固着された一対の駆動軸２１が相互に平行にかつ回転可能に配置されている。そして、長さが車輪５２の幅を越える長さ以上でかつ車輪５２のトレッドパターンの溝に入り込まない程度の幅の細長い金属製の平板である板片２２が、複数それぞれ図示しないチェーンに取り付けられており、一対の駆動軸２１のスプロケット間にこのチェーンが掛け渡されている。
【００２８】
従って、チェーンによりこれら板片２２がその幅方向に沿って多数連結されて、図３及び図４に示すように無限軌道である駆動面２４が平面状に形成され、板片２２の長手方向が車両５０の左右方向を向くように、駆動面２４が配置されている。
【００２９】
フレーム２０内には、歪みゲージやロードセル等の力検出素子を備えた図示しない力センサが固定されており、車両５０の左右方向、車両５０の前後方向及び、車両５０の荷重が加わる方向である垂直方向の力の大きさと力の向きを検出可能となっている。
【００３０】
図３から図５に示すようにタイヤ駆動装置１８の一方の側面の中央部には、上方に延びるブラケット２６が固定されており、このブラケット２６の上端部には、タイヤ駆動装置１８の駆動面２４の駆動方向（矢印Ｄで示す）に沿って支持アーム２８が延びるように、この支持アーム２８の中央が取り付けられている。
【００３１】
この支持アーム２８の一端側には、帯状のレーザーまたは直進性の高い光線を送信する発光素子である送信機３２Ａが設置され、支持アーム２８の他端側には、帯状のレーザーまたは直進性の高い光線を受信する受光素子である受信機３２Ｂが設置されている。
【００３２】
尚、この受信機３２Ｂは、５／１０００mm単位の精度で遮光された幅に見合った電圧の出力またはデジタルデータの出力を行うことのできるＣＣＤ等により、構成されている。
【００３３】
つまり、駆動面２４の駆動方向にほぼ沿ってこれら送信機３２Ａ及び受信機３２Ｂが並べて配置され、これら送信機３２Ａ及び受信機３２Ｂにより構成されるセンサ３２が、帯状の光束が部分的に遮光された状態における遮光幅を計測し得るようになっている。
【００３４】
一方、駆動面２４上から上方向に延びてセンサ３２の帯状の光束を部分的に遮光するように、タイヤ駆動装置１８の駆動面２４上には、板状の第１の遮光体である駆動面用遮光板３４が着脱自在に設置され、駆動面２４の駆動に伴ってこの駆動面用遮光板３４が移動されることになる。
【００３５】
図２に示すように、センサ３２の受信機３２Ｂは、受信したデータを処理し得るパーソナルコンピュータ等で構成された演算手段であるデータ処理装置４２に接続され、また、タイヤ駆動装置１８の各力センサは検出値を入力可能にデータ処理装置４２に接続されている。
【００３６】
さらに、データ処理装置４２は、タイヤ駆動装置１８の駆動面２４を駆動するモータとも接続されており、駆動面用遮光板３４の移動量をモータの回転量を通して計測できるようになっている。そして、このデータ処理装置４２には、データを処理した結果及び、力センサでの検出値を表示するためのＣＲＴ等で構成された表示装置４４が接続されている。
【００３７】
他方、駆動面用遮光板３４を駆動面２４上から取り去った状態で、図７から図９に示すように、板状の第２の遮光体である車輪用遮光板３６がホイール５２Ａに取り付けられた車輪５２を、送信機３２Ａから送られる帯状の光束を車輪用遮光板３６が部分的に遮光するように、タイヤ駆動装置１８の駆動面２４上に搭載する。
【００３８】
尚この際、図９に示すように、センサ３２の光軸Ｌが車輪５２の中心軸Ｃを通るように当初からセンサ３２を配置しておき、車輪５２が１８０度転動する毎に、車輪用遮光板３６がセンサ３２の帯状の光束を部分的に遮光するようにした。
【００３９】
従って、車輪５２を搭載した状態で駆動面２４が駆動されると、車輪５２が転動され、これに伴って回転される車輪用遮光板３６が、相互に１８０度異なる図７及び図８上、左側の二点鎖線で示すＡ点の位置と右側の二点鎖線で示すＢ点の位置とで、部分的にセンサ３２の帯状の光束を遮光するようになり、これら二箇所で遮光した際の光束の遮光幅の相違である遮光幅の変化をセンサ３２が計測することになる。
【００４０】
本実施の形態に係る作用及び動作を以下に説明する。
測定に当たっては、まず、図３から図５に示すように、センサ３２を構成する送信機３２Ａと受信機３２Ｂの間の駆動面２４上に駆動面用遮光板３４をおき、センサ３２の帯状の光束を部分的に遮光する。そして、タイヤ駆動装置１８のモータを回転させて駆動面２４を駆動するとともに、駆動面用遮光板３４の移動距離及び遮光幅のデータのサンプリングを開始し、予め定めた一定の距離だけ駆動面用遮光板３４を移動する毎に、タイヤ駆動装置１８のモータ及びセンサ３２からデータ処理装置４２にデータを収集する。
【００４１】
つまり、駆動面２４の駆動に伴う駆動面２４の駆動方向である進行方向に直角な方向への駆動面用遮光板３４の変位を、受信機３２Ｂによって計測する。
【００４２】
そして、予め定めた回数または総移動距離に対応するサンプリングを終了した後に、このデータの演算処理をデータ処理装置４２内で行い、図６に示すように、センサ３２の光軸Ｌと駆動面２４の駆動方向との間の相対角とされる第１の角度αをデータ処理装置４２内で演算して求める。
【００４３】
次に、駆動面用遮光板３４を駆動面２４上から取り去り、車両５０の操舵輪を直進状態にして車体の略中心線と試験装置１２の各駆動面２４の駆動方向とが並行となるように車体の向きを調整しつつ図１に示すように車両５０を試験装置１２上に搭載する。
【００４４】
この際、車輪用遮光板３６を車両５０の車輪５２に取り付け、この車輪用遮光板３６が取り付けられた車輪５２をセンサ３２の光束を部分的に遮光するように駆動面２４に設置した状態で、車輪用遮光板３６がセンサ３２間で光束を遮光するＡ点とＢ点の距離を、例えば作業者が巻尺等で測定し、データ処理装置４２に入力する。そして、車輪５２が載っているタイヤ駆動装置１８のモータを回転させて駆動面２４を駆動することにより、車輪５２とともに車輪用遮光板３６を回転し、車輪用遮光板３６によるＡ点ならびにＢ点における遮光幅のデータを、センサ３２からデータ処理装置４２がサンプリングする。さらに、図１０に示すように、センサ３２の光軸Ｌと車輪５２の転動方向との間の相対角とされる第２の角度βをデータ処理装置４２内で演算して求める。
【００４５】
最後に、これら第１の角度α及び第２の角度βの値から、データ処理装置４２が駆動面２４の駆動方向と車輪５２の転動方向との間の滑り角を算出する。
【００４６】
つまり、センサ３２の光軸Ｌと車輪５２の転動方向との間の相対角とされる第２の角度βを、先に求めた駆動面２４の駆動方向とセンサ３２の光軸Ｌとの間の相対角である第１の角度αにより補正すべく演算を行ない、駆動面２４の駆動方向と車輪５２の転動方向との間の滑り角を求める。
【００４７】
以上より、駆動面２４の駆動方向と車輪５２の転動方向との間の滑り角が、タイヤ駆動装置１８や車輪５２の支持機構内のクリアランス等を含まないで、直接算出されることになる。
【００４８】
すなわち、タイヤ駆動装置１８の機構による誤差を極小化し、駆動面２４の駆動方向及び車輪５２の転動方向を同一のセンサ３２により検出することによって、精度の高い測定を可能とした。
【００４９】
また、駆動面２４を支持するための架台や軸受などの取付け位置や取付け角度を調整して基準線を補正する必要が無くなる為、大型の試験装置であっても、基準線の補正のための労力が不要となり、角度測定作業における費用及び時間ともに節約される。
【００５０】
これに伴って、駆動面２４の実際の動きの方向である駆動方向を実測して基準線とするため、試験装置１２の機構の歪みや磨耗などの影響を受けないようになり、測定精度を維持するための作業を要しないことになる。
【００５１】
以上の結果として、転動中の車輪５２の滑り角を簡易且つ正確に測定し得ることが可能となる。
【００５２】
一方、駆動面２４が平面状に形成され、駆動されるのに伴って駆動面２４が直線的に移動されるので、駆動面２４に設置される駆動面用遮光板３４の一定の部分で、センサ３２の帯状の光束を遮光するようになる。この為、駆動面用遮光板３４の駆動面２４への設置の際の駆動面用遮光板３４の傾き等による測定誤差が生じないようになり、滑り角の測定精度が一層向上し得ることになる。
【００５３】
他方、センサ３２の光軸Ｌが車輪５２の中心軸Ｃを通るようにセンサ３２が配置され、車輪５２が１８０度転動する毎に車輪用遮光板３６が帯状の光束を部分的に遮光するようにされている。この為、最も遮光幅の変化が大きくなると考えられる２点間で車輪用遮光板３６が光束を遮光するようになって、第２の角度βの計測精度が高まり、結果として、滑り角の測定精度が一層向上し得ることになる。
【００５４】
そして、タイヤ駆動装置１８の駆動面２４の各々に車輪５２を載置し、タイヤ駆動装置１８によって何れか１つの車輪５２を転動させると、転動する車輪５２によって、例えば車両５０の左右方向、或いは車両５０の前後方向の力が、板片２２に作用する。
【００５５】
この力の作用によって、フレーム２０に力が伝達され、力センサが力の大きさと方向を検出することができる。ここで検出できる力は、車輪が転動するときに発生する力であり、この力としては、トーによる力、プライステア、キャンバースラスト、コニシティ等の力がある。
【００５６】
次に、本発明に係る角度測定装置及び角度測定方法の第２の実施の形態を詳細に説明する。尚、第１の実施の形態で説明した部材と同一の部材には同一の符号を付し、重複した説明を省略する。
【００５７】
図１１から図１３に示すように、本実施の形態に係る駆動面６２は円筒状に形成されたドラム面とされており、ブラケット２６にセンサ３２の位置を調整する調整機構６４が取り付けられている。そして、この駆動面６２上に第１の実施の形態と同様の駆動面用遮光板３４を設置して第１の角度αを求める。
【００５８】
この後、図１４及び図１５に示すように、駆動面６２上に車輪５２を載せて、第１の実施の形態と同様に第２の角度βを求め、最終的に滑り角をデータ処理装置４２で演算して算出する。
【００５９】
つまり、本実施の形態では、駆動面６２が駆動されて円状に移動すると言う相違を有するものの第１の実施の形態と同様に滑り角が求められることになる。
【００６０】
尚、以上の実施の形態では、車両の車輪の力の測定を通して本発明を説明したが、例えば、他の測定装置にも応用することができる。
【００６１】
また、第１の実施の形態では、多数の板片により構成された無限軌道を駆動面としたが、単なるベルトであっても良い。さらに、第１の実施の形態では、センサ３２の光軸Ｌが車輪５２の中心軸Ｃを通るようにセンサ３２を配置したが、センサ３２の光軸Ｌを車輪５２の中心軸Ｃに対してずらしても遮光幅の測定は可能となるので、センサ３２をずらして配置しても良い。
【００６２】
また、上記実施の形態と異なり、駆動面に車輪を先に設置して第２の角度を求め、この後に、駆動面用遮光板を駆動面に設置して第１の角度を求めて、これら第１の角度及び第２の角度から滑り角を算出しても良い。
【００６３】
さらに、本発明は、送信器と受信機の取付け位置を工夫すれば駆動面とその駆動面に駆動される回転体の相対角を測定する多様な計測装置に簡便に適用することができる。
【００６４】
【発明の効果】
以上説明したように本発明の角度測定装置及び角度測定方法によれば、車輪の滑り角を簡易且つ正確に測定し得ることができる、という効果が得られる。
【図面の簡単な説明】
【図１】本発明の第１の実施の形態が適用される試験装置を示す側面図である。
【図２】本発明の第１の実施の形態が適用される試験装置を示す概略平面図である。
【図３】本発明の第１の実施の形態に係る角度測定装置の平面図である。
【図４】本発明の第１の実施の形態に係る角度測定装置の正面図である。
【図５】本発明の第１の実施の形態に係る角度測定装置の側面図である。
【図６】本発明の第１の実施の形態に係る角度測定装置による角度の測定を説明する図であって、第１の角度の測定を示す。
【図７】本発明の第１の実施の形態に係る角度測定装置の平面図であって、車輪が搭載された状態の図である。
【図８】本発明の第１の実施の形態に係る角度測定装置の正面図であって、車輪が搭載された状態の図である。
【図９】本発明の第１の実施の形態に係る角度測定装置の側面図であって、車輪が搭載された状態の図である。
【図１０】本発明の第１の実施の形態に係る角度測定装置による角度の測定を説明する図であって、第２の角度の測定を示す。
【図１１】本発明の第２の実施の形態に係る角度測定装置の斜視図である。
【図１２】本発明の第２の実施の形態に係る角度測定装置の正面図である。
【図１３】本発明の第２の実施の形態に係る角度測定装置の平面図である。
【図１４】本発明の第２の実施の形態に係る角度測定装置の斜視図であって、車輪が搭載された状態の図である。
【図１５】本発明の第２の実施の形態に係る角度測定装置の正面図であって、車輪が搭載された状態の図である。
【符号の説明】
１２    試験装置
１８    タイヤ駆動装置
２４    駆動面
３２    センサ
３２Ａ  送信機（発光素子）
３２Ｂ  受信機（受光素子）
３４    駆動面用遮光板（第１の遮光体）
３６    車輪用遮光板（第２の遮光体）
４２    データ処理装置（演算手段）
【図１】
0003703567.tif 000002
【図２】
0003703567.tif 000003
【図３】
0003703567.tif 000004
【図４】
0003703567.tif 000005
【図５】
0003703567.tif 000006
【図６】
0003703567.tif 000007
【図７】
0003703567.tif 000008
【図８】
0003703567.tif 000009
【図９】
0003703567.tif 000010
【図１０】
0003703567.tif 000011
【図１１】
0003703567.tif 000012
【図１２】
0003703567.tif 000013
【図１３】
0003703567.tif 000014
【図１４】
0003703567.tif 000015
【図１５】
0003703567.tif 000016